(57)【要約】      （修正有）【課題】製品を取り除いても、残りの製品の保持可能な製品パッケージ体の提供。【解決手段】パッケージ組立体１０は、複数の個々の細長い消費者向け製品を包み込む、パッケージ組立体は、横に並んだ配列１２にて整合された複数の製品を有する。パッケージハウジング１６は、製品の前記配列を取り囲む。パッケージハウジングは、それらの間に製品を支持する前壁１８と、後壁２０と、製品の分与開口部２８を閉鎖する閉鎖可能なカバーとを有する。パッケージハウジングは、パッケージ体内に挿入可能に支持されて製品の配列をパッケージ体内に摩擦力により保持する製品の摩擦保持部材を更に有する。製品の摩擦保持部材は、製品と係合する突出要素を含んでいる。【選択図】図２
2010076841.tif 000002
【特許請求の範囲】
【請求項１】
個々の細長い消費者向け製品用のパッケージ組立体において、
横に並んだ配列にて整合された複数の前記製品と、
製品の前記配列を取り囲むパッケージハウジングであって、前壁と、後壁と、分与開口部を閉鎖する閉鎖可能な蓋とを有する前記パッケージハウジングと、
製品の前記配列を前記パッケージ体内に摩擦力により保持すべく前記パッケージ体内に挿入可能に支持された製品の摩擦保持部材と、を備えており、
前記製品の摩擦保持部材は、前記製品と係合する突出要素を含んでいる、パッケージ組立体。
【請求項２】
請求項１に記載のパッケージ組立体において、前記製品の保持部材は、前記パッケージ体内にて支持された波形インサートを含み、前記波形インサートは、前記製品の配列と摩擦力にて係合する波形突出部を有する、パッケージ組立体。
【請求項３】
請求項２に記載のパッケージ組立体において、前記波形インサートは、前記パッケージ体に接着剤にて取り付けられる、パッケージ組立体。
【請求項４】
請求項３に記載のパッケージ組立体において、前記波形インサートは、マイクロ溝付き波形面を有する平面状部材である、パッケージ組立体。
【請求項５】
請求項２に記載のパッケージ組立体において、前記波形インサートは、製品の前記配列をその両側部にて摩擦力により支持するＵ字形の形状をしている、パッケージ組立体。
【請求項６】
請求項１に記載のパッケージ組立体において、前記摩擦保持部材は、前記パッケージ体内に挿入可能に保持されたルーバ付き支持部材を有し、前記ルーバ付き支持部材は、前記配列の前記製品を個別に支持すべく前記支持部材から切断され前記支持部材から突出する、複数の偏向可能なばねルーバを有する、パッケージ組立体。
【請求項７】
請求項６に記載のパッケージ組立体において、前記ルーバは、前記支持部材上にて隔てた位置に配置される、パッケージ組立体。
【請求項８】
請求項７に記載のパッケージ組立体において、前記ルーバは、２つの食い違い列に配置される、パッケージ組立体。
【請求項９】
請求項６に記載のパッケージ組立体において、前記ルーバ付き支持部材は、ダイカットした板紙にて形成される、パッケージ組立体。
【請求項１０】
個々の細長い消費者向け製品用のパッケージ組立体において、
横に並んだ配列にて整合された複数の前記製品と、
製品の前記配列を取り囲むパッケージハウジングであって、前壁と、後壁と、分与開口部を閉鎖する閉鎖可能な蓋とを有する前記パッケージハウジングと、
製品の前記配列を前記パッケージ体内に摩擦力により保持すべく前記パッケージ体内に挿入可能に支持された製品の摩擦保持部材と、を備えており、
前記製品の摩擦保持部材は、前記製品の配列の一端を支持するＵ字形部材を有する、パッケージ組立体。
【請求項１１】
請求項１０に記載のパッケージ組立体において、前記製品の摩擦保持部材は、Ｕ字形の止めクリップを有する、パッケージ組立体。
【請求項１２】
請求項１１に記載のパッケージ組立体において、前記Ｕ字形のクリップは、前記パッケージに接着剤にて固定される、パッケージ組立体。
【請求項１３】
請求項１１に記載のパッケージ組立体において、前記Ｕ字形のクリップは、底部壁と、対向した直立の側壁とを有する細長い部材であり、前記側壁は、拡張するように拡がった伸長部を有し、前記拡がった伸長部は、前記パッケージ体の前記壁の間にて内方に押し付けられて前記製品の前記端部を前記クリップ内にて保持状態に支持することができるようにした、パッケージ組立体。
【請求項１４】
請求項１３に記載のパッケージ組立体において、前記Ｕ字形クリップは、プラスチックにて形成される、パッケージ組立体。
【請求項１５】
請求項１３に記載のパッケージ組立体において、前記クリップの前記側壁は、隔たてられたダイカットした部材を有し、前記ダイカットした部材は、前記製品をその内部に摩擦力にて更に保持することができるよう内方に偏向可能である、パッケージ組立体。
【請求項１６】
請求項１２に記載のパッケージ組立体において、前記Ｕ字形クリップは、底部壁と、対向した直立の側壁とを有する細長い部材であり、前記側壁は内方に伸びるばねフラップを有し、該ばねフラップは、前記製品と偏向可能に係合してその間にて前記製品を保持状態に支持する、パッケージ組立体。
【請求項１７】
請求項１６に記載のパッケージ組立体において、前記Ｕ字形クリップは、ダイカットした板紙にて形成される、パッケージ組立体。
【請求項１８】
請求項１０に記載のパッケージ組立体において、前記摩擦保持部材は、前記パッケージ体内にて挿入可能に固定されたキャリアを有し、前記キャリアは、前記Ｕ字形部材を形成する折畳み可能な前側フラップと、前記製品の他端の上に折畳み可能に位置決めする折畳み可能な上側部分とを有する、パッケージ組立体。
【請求項１９】
請求項１８に記載のパッケージ組立体において、前記折畳み可能な上側部分は、製品各々の上方に位置する複数のタブを有し、前記タブは、前記製品の１つを分与するように互いに分離可能である、パッケージ組立体。
【請求項２０】
請求項１９に記載のパッケージ組立体において、前記タブは、前記配列の前記製品の１つを除去したとき、隣接する製品の間に再配置可能である、パッケージ組立体。
【請求項２１】
請求項２０に記載のパッケージ組立体において、前記タブは、孔部分により分離される、パッケージ組立体。
【発明の詳細な説明】
【技術分野】
【０００１】
本発明は、全体として、消費者向け製品の配列を保持し且つ個々の製品を分与することが望まれるようなとき迄、製品をパッケージ体内に保持するパッケージ体に関する。より具体的には、本発明は、製品を保持する挿入可能な部材を有して、ガムスラブを保持し且つ分与するパッケージ体に関する。
【背景技術】
【０００２】
ガムスラブのような消費者向け製品をパッケージ体又はハウジング内に収容し、該パッケージ体又はハウジングはガムスラブを保持し且つ個々のスラブを分与することを許容するようにすることが周知である。ガムスラブは、典型的に、配列にて配置され、単一のガムスラブを配列から除去してパッケージ体内に残りのガムスラブを残すことができる。ガムスラブは、個々に外側包装紙にて包装されることがしばしばである。
【発明の概要】
【発明が解決しようとする課題】
【０００３】
ガムスラブパッケージ体の特定のものは、ガムスラブの１つを除去した後でさえ、その外部形態を維持する型式のものである。このことは、隣接するガムスラブを変位させることを許容する空間をパッケージ体内部に形成することになる。このため、残るガムスラブの１つ又はより多くがパッケージ体内にて傾き又は倒れかかるとき、追加のガムスラブをパッケージ体から除去することは困難となる。また、かかる空間を形成することにより、残るガムスラブは、パッケージ体内にて摺動し又は動き、また、パッケージ体外に倒れ出ることさえもある。
【０００４】
個々のガムスラブを保持し且つ１つのパッケージ体から分与する１つの試みは、その開示内容を全ての目的のため、参考として引用し本明細書に含めた、コペッキィ（Ｋｏｐｅｃｋｙ）に対する米国特許出願公告明細書２００３／００８００２０号に示されている。コペッキィの公報には、全体として矩形の形態を有するダイカットした板紙ブランクから形成されたガムスラブのパッケージハウジングが開示されている。該ハウジングは、開いて複数のガムスラブを露出させる前側カバーを有している。ガムスラブは、ガムスラブの回りに巻かれるシートにより横に並んだ配列にて保持されている。ガムスラブの配列を含むシートは、パッケージのハウジング内に配置され、このため、前側カバーが開いたとき、ガムスラブは露出する。ガムスラブを直立の状態に保持し且つガムスラブをパッケージ体内に維持するため、１つ又はより多くのスラブが配列から除去されたとき、ガムスラブはシートに接着剤にて固定される。接着剤による固定は、シートの内面にてワックス領域の形態をとることができる。包装したスラブがシート内に挿入されたとき、シートに熱を加えてワックスを溶融させる。次に、シートに固定されたガムスラブの配列を保持し且つ分与するため、パッケージ体内に配置することができる。
【０００５】
コペッキィの公報に開示された装置は、ガムスラブを保持し且つ分与することの双方を許容するパッケージ体を提供しようと試みるものであるが、パッケージ体は長期間に渡って十分に機能し得ないことが判明している。従って、個々のガムを保持し且つ分与することの双方を許容すると共に、１つ又はより多くのガムスラブが除去されたとき、パッケージ体内に残りのガムスラブを保持する、改良されたガムスラブパッケージ体を提供することが望ましい。
【課題を解決するための手段】
【０００６】
本発明は、個々の細長い消費者向け製品用のパッケージ組立体を提供するものである。
パッケージ組立体は、横に並んだ配列にて整合された複数の製品を有する。パッケージハウジングは製品の配列を取り囲む。パッケージハウジングは、前壁と、後壁と、分与開口部を閉鎖する閉鎖可能なカバーとを有する。製品の摩擦保持部材は、製品の配列をパッケージ体内に摩擦力により保持すべくパッケージ体内にて挿入可能に支持されている。
【０００７】
本発明の１つの好ましい実施の形態において、摩擦保持部材は、製品の回りを横方向に伸びる帯状部である。該帯状部は、製品の配列を摩擦力により保持する。帯状部は、パッケージ体に接着剤により固定することができる。配列の製品の各々は、個別の包装紙を有することができる。包装紙は、少なくとも一端にて折り畳まれて上方に形成した包装紙フラップを画成する。帯状部は、製品の配列に沿って伸びる横方向端縁を画成する。帯状部の横方向端縁は、除去したとき、包装紙フラップと係合して製品をパッケージ体内に除去可能に保持することができる。包装紙フラップは、製品をパッケージ体から除去することを許容し得るよう偏向可能である。
【０００８】
更なる好ましい実施の形態において、製品の摩擦保持部材は、パッケージ体内にて支持された波形インサートを含むことができる。該波形インサートは、製品の配列と摩擦力にて係合し製品の配列をパッケージ体内にて支持する波形面を有する。波形インサートは、パッケージ体に接着剤にて取り付けることができる。一例において、波形インサートは、製品の配列をその両側部にて摩擦力により支持すべくＵ字形の形状をしている。
【０００９】
本発明の別の実施の形態において、摩擦保持部材は、製品の配列の一端を支持するＵ字形の止めクリップを有することができる。Ｕ字形の止めクリップは、底部壁と、対向した直立の側壁と、内方に拡張するように拡がった伸長部とを有する細長い部材である。拡がった伸長部は、パッケージ体の壁の間にて内方に押し付けられて製品の端部をクリップ内にて保持状態に支持することができる。
【００１０】
Ｕ字形クリップの更なる実施の形態は、内方に伸びるばねフラップを有することができ、該ばねフラップは、製品と偏向可能に係合してその間にて製品を保持状態に支持する。
更なる実施の形態において、摩擦保持部材は、パッケージ体内にて挿入可能に保持されたルーバ付き支持部材を有することができる。ルーバ付き支持部材は、配列の製品を個別に支持すべく支持部材から切断された複数の偏向可能なばねルーバを有する。
【００１１】
本発明の更なる実施の形態は、パッケージ体内に挿入可能に支持されたキャリアを有する摩擦保持部材を提供する。該キャリアは、製品の一端を支持するＵ字形の下側部分と、製品の他端の上に折畳み可能に位置決めする折畳み可能な上側部分とを形成する折畳み可能な前側フラップを有している。折畳み可能な上側部分は、各々が個別の製品の上方に位置する複数のタブを有している。これらのタブは、互いに分離して１つの製品を個々に分与することができる。製品が除去されたとき、タブは、隣接する製品の間に再配置可能である。タブは、孔部分により分離することが可能であると更に考えられる。
【図面の簡単な説明】
【００１２】
【図１】閉鎖状態にある本発明のパッケージ組立体を示す斜視図である。
【図２】分与開口部から分与することのできる製品の配列を示す、開放状態にある図１のパッケージ組立体の斜視図である。
【図３】予め組み立てた状態で示したパッケージハウジング内に製品の配列が配置された帯状部によって製品の配列が取り囲まれる本発明の１つの実施の形態を示す図である。
【図４】前記製品の回りに帯状部を有する図２に示した型式の包装した製品の配列を示す図である。
【図５】２つの製品が前記帯状部に対して除去し得るよう配置された、図４の製品の配列を示す図である。
【図６】製品の配列がその予め組み立てた状態にて示したパッケージハウジング内に支持される、本発明の更なる実施の形態を示す図である。
【図７】図６のパッケージ組立体の更なる詳細図である。
【図８】図６のパッケージ組立体の更なる詳細図である。
【図９】その予め組み立てた状態にて配置されたパッケージハウジング内で製品の配列がクリップ内に支持される、本発明の更なる実施の形態を示す図である。
【図１０】図９のクリップを示す斜視図である。
【図１１】その予め組み立てた状態にて示したパッケージハウジング内で配置されたクリップの更なる実施の形態の内部に製品の配列が支持される、本発明の更なる実施の形態を示す図である。
【図１２】図１１のクリップ内に保持された製品の側面図である。
【図１３】図１１のクリップを示す斜視図である。
【図１４】予め組み立てた状態にて示したパッケージハウジング内に製品の配列が支持される、本発明の更なる実施の形態を示す図である。
【図１５】製品の配列を保持する図１４の組立体の更に詳細を示す図である。
【図１６】製品の配列を保持する図１４の組立体の更に詳細を示す図である。
【図１７】予め組み立てた状態にて示したパッケージハウジング内に個別の製品が支持される、本発明の更なる実施の形態を示す図である。
【図１８】その予め組み立てた状態にて示したパッケージハウジング内に製品の配列が支持される、本発明の更なる実施の形態を示す図である。
【図１９】図１８の組立体の更に詳細を示す図である。
【図２０】図１８の組立体の更に詳細を示す図である。
【発明を実施するための形態】
【００１３】
本発明は、複数の消費者向け製品をパッケージハウジング内に保持するパッケージ組立体に関する。パッケージハウジングは、開いて１つ又はより多くの製品を該ハウジングから分与することを許容し、また、再度閉鎖して製品をその内部に保持し且つ維持することができる。本発明は、多岐に亙る消費者向け製品に対して有用であるが、本発明は、横に並べた配列にて配置された細長いガムスラブに対して特に有用である。
【００１４】
この型式の消費者向け製品用パッケージ体は、「菓子製品の包装デザイン（Ｃｏｎｆｅｃｔｉｏｎｅｒｙ  Ｐａｃｋａｇｉｎｇ  Ｄｅｓｉｇｎ）」という名称にて、２００４年７月１日付けで出願された同時に譲渡した米国特許出願明細書１０／８３３，４６８号、
「２つの別個の区画室を有するガムの包装デザイン（Ｇｕｍ  Ｐａｃｋａｇｅ  Ｄｅｓｉｇｎ  ｗｉｔｈ  Ｔｗｏ  Ｓｅｐａｒａｔｅ  Ｃｏｍｐａｒｔｍｅｎｔｓ）」という名称にて２００４年１２月２２日付けで出願された米国特許出願明細書１１／０２５，７３９号に開示されており、この双方の特許出願の明細書は、全ての目的のため参考として引用し本明細書に含めてある。
【００１５】
更に、本発明は、「フラップ保持部を有するガムスラブパッケージ体（Ｇｕｍ  Ｓｌａｂ  Ｐａｃｋａｇｅ  Ｗｉｔｈ  Ｆｌａｐ  Ｒｅｔｅｎｔｉｏｎ）」という名称にて同一日に出願され且つ代理人事件番号１４２１−１９として識別される、同時に譲渡した米国特許出願明細書 号、また、「ガムスラブを分与し且つガムスラブを接着剤による固定により保持するパッケージ体（Ｐａｃｋａｇｅ  Ｆｏｒ  Ｄｉｓｐｅｎｓｉｎｇ  Ａｎｄ  Ｒｅｔａｉｎｉｎｇ  Ｇｕｍ  Ｓｌａｂｓ  Ｗｉｔｈ  Ａｄｈｅｓｉｖｅ  Ｓｅｃｕｒｅｍｅｎｔ）」という名称にて同一日に出願され且つ代理人事件番号１４２１−２３として識別される、同時に譲渡した米国特許出願明細書 号にも示されており、これらの特許出願明細書の双方は、全ての目的のため参考として引用し本明細書に含めてある。
【００１６】
次に、図１及び図２を参照すると、本発明は、その内部にてガムスラブ１４の配列１２を支持するパッケージング組立体１０を提供する。ガムスラブ１４は、個別に各ガムスラブの回りの包装紙（図２に図示せず）を選択的に含むことができる、典型的に細長い矩形形状の部材である。ガムスラブは、横に並べた状態に配置されて配列１２を形成する。ガムスラブ１４は、パッケージハウジング１６内で配列にて支持される。パッケージハウジング１６は、前壁１８と、対向した後壁２０と、底部壁２２と、対向した側壁２４、２６とを有している。以下に更に詳細に説明するように、パッケージハウジングは、周知の仕方にて折り畳まれて図１及び図２に示した形態を形成するダイカットした板紙から形成される。パッケージハウジング１６は、折り畳まれて、該パッケージハウジングは分与開口部を画成する開放した上端２８を提供する。後壁２０は、上方に伸びる折畳み可能なカバー３０を有しており、該カバー３０は、開放した上端の上方にて折り畳み、開口部を閉じ且つスラブ１４をパッケージハウジング１６内に収容することができる。前壁１８に設けられたスリット３２は、再度閉鎖する目的のため、その内部にカバー３０の末端縁３４を挿入することを許容する。更に、パッケージには、図１に示した状態にて前壁１８に接着剤にて固定されるカバー３０を設けることが考えられる。接着剤による固定が第一のガムスラブを分与すべく除去されたとき、フラップは、該カバーをスリット３２内に挿入することにより、再度閉鎖することができる。
【００１７】
パッケージハウジング１６は、また輸送する間及び販売し且つ使用する前に、パッケージ体を取り囲み且つ保護するプラスチックラップ（図示せず）により覆うことも可能であると考えられる。
【００１８】
以下に更に詳細に説明するように、スラブ１４の配列１２は、パッケージハウジング１６内に除去可能に保持する状態に支持し、ガムスラブの残りをパッケージハウジング内に維持しつつ、１つ以上のガムスラブを容易に除去することを許容するようにすることも考えられる。更に、スラブ１４をパッケージハウジング内に解放可能に支持する技術は、隣接するガムスラブの１つ又はより多くを除去した後でさえ、スラブ１４がハウジング内にてその位置を維持することを許容し、ガムスラブがパッケージ体内にて傾き又は倒れかかり又はパッケージ体から落ちるのを防止するようにすることも考えられる。
【００１９】
次に、図３ないし図５を参照すると、本発明の１つの実施の形態が示されている。当該実施の形態に関して、当該実施の形態を表示するため図１及び図２の参照番号に１００を加えた同様の参照番号は、同様の要素を表示する。
【００２０】
図３には、パッケージハウジング１１６がその予め組み立てた状態にあるパッケージ組立体１１０が示されている。該パッケージハウジング１１６は、図３に示したその平坦な形態から図１及び図２に示した形態に折り畳むことができるダイカットした板紙の形態から形成される。パッケージハウジングは、後壁１２０と、折畳み可能な前壁１１８と、折畳み可能な側壁１２４、１２６と、折畳み可能なカバー１３０とを有している。パッケージハウジング１１６は、ガムスラブ１１４の配列１１２を後壁１２０の内面に対して支持する。
【００２１】
当該一例として実施の形態にて図４及び図５により具体的に示すように、ガムスラブ１１４は、包装したガムスラブである。ガムスラブ１１４の各々は、従来の態様にて紙及び（又は）フォイル包装紙１１５にて個別に包装することができる。この態様にて包装することは、その各端部にて折り畳んだ包装紙フラップ１１７を提供することになる。当該実施の形態において、包装紙フラップ１１７は、ガムスラブの同一の側部にて折り畳まれ且つ相互に内方を向いている。ガムスラブの配列は、パッケージハウジングが組み立てられたとき、包装紙フラップが後壁１２０に面するように配置される。
【００２２】
ガムスラブ１１４の配列１１２は、横方向に伸びる帯状部１３１によって摩擦力により相互に係合する状態に保持される。帯状部１３１は、紙、フォイル又はそれらの組み合わせを含む多岐に亙る材料にて形成することができる。帯状部は、ガムスラブ１１４の配列１１２の回りを且つ包装紙フラップ１１７に重ね合わない位置にて包装したガムスラブ１１４の長手方向伸長部に沿って横方向に伸びる。帯状部の端部（図示せず）は、従来の態様にて互いに密封し配列１１２を完全に取り巻くことができる。帯状部１３１は、包装したガムスラブを内部に摩擦力にて保持するが、図５に示すように、スラブに沿って長手方向に動くのを許容するような態様にて配列１１２の回りに配置される。帯状部１３１は、隔てた横方向端縁１３３、１３５を画成する。例えば、帯状部１３１の端縁１３５は、保持面として作用し、個々のガムスラブ１１４が配列１２から偶発的に除去されるのを防止する。
【００２３】
図５に図解図的に示すように、ガムスラブを帯状の配列から除去し又は動かそうとするとき、包装紙フラップは帯状部３３１の横方向端縁３３５に引っ掛かる。包装紙フラップが折り畳んだフラップである一方、個々の包装したガムスラブ１１４を更に上方に動かすと、包装紙フラップは拡がって個々のガムスラブ１１４を帯状の配列から完全に除去することを可能にする。折り畳んだ包装紙フラップ１１７と帯状部１３１の端縁１３５との間の係合状態は、隣接するガムスラブがその前に完全に除去されているときでさえ、個々のガムスラブを帯状部内に維持して偶発的に脱落するのを防止するのに十分である。このように、１つ又はより多くのガムスラブを帯状配列から除去した後、残りのガムスラブは帯状部１３１内に保持状態に支持される。
【００２４】
図３を再度参照すると、包装紙フラップ１１７が後壁１２０に面するような帯状ガムスラブの配置である一方、ガムスラブの帯状配列はパッケージハウジング１１６内に配置される。勿論、折り畳んだフラップが前壁１１８に面するように帯状配列を反対方向に向けて配置することが可能であることが理解されよう。
【００２５】
帯状配列をパッケージハウジング１１６内に支持するため、帯状部１３１は、パッケージ組立体１１６の後壁１２０に接着剤にて固定することが可能であると考えられる。かかる接着剤による固定は、帯状部１３１がハウジング１１６内にて動くのを防止する。このように、帯状部及び包装したガムスラブ１１４の回りのその摩擦係合状態は、スラブ１１４をパッケージ１１６と共に保持する作用を果たす。更に、横方向端縁３３５が包装紙フラップ１１７に引っ掛かる能力は、ガムスラブ１１４がパッケージ体から偶発的に脱落す
るのを防止する。
【００２６】
次に、図６ないし図８を参照すると、本発明の更なる実施の形態が示されている。当該実施の形態に関して、当該実施の形態を表示するため、図１、図２の参照番号に２００を加えた同様の参照番号は同様の要素を表示する。
【００２７】
図６には、パッケージハウジング２１６がその予め組み立てた状態にあるパッケージ組立体２１０が示してある。パッケージハウジング２１６は、ダイカットした板紙形態から形成され、該板紙形態は、図６に示したその平坦な形態から図１及び図２に示した形態に折り畳むことができる。パッケージハウジングは、後壁２２０と、折畳み可能な前壁２１８と、折畳み可能な側壁２２４、２２６と、折畳み可能なカバー２３０とを有している。パッケージハウジング２１６は、ガムスラブ２１４の配列２１２を後壁２２０の内面に対して支持する。本発明において、ガムスラブ２１４は非包装状態にあるガムスラブである。しかし、当該実施の形態は、包装したガムスラブを使用することも考えられる。
【００２８】
当該一例としての実施の形態において、ガムスラブ２１２は、帯状部３３１内にて支持することができる。帯状部２３１は、Ｕ字形部材の形態をしており、該Ｕ字形部材は、その上端が分与のため露出されるようガムスラブ２１２の配列２１４を支持する。帯状部２３１は、紙、フォイル又はそれらの組み合わせのような多岐に亙る従来の材料にて形成することができる。Ｕ字形帯状部は、対向した側壁と、前壁及び後壁と、底部壁とを画成する。
【００２９】
当該実施の形態のパッケージ組立体２１０は、図７及び図８に特定的に示すように、マイクロ溝付き波形裏当て板２４１を有する。裏当て板２４１は、マイクロ溝付き構造体を画成する波状部材である。裏当て板２４１は、後壁１２０の内面に対して配置され且つ接着剤又は同様のものによって該内面に固定される。Ｕ字形帯状部２３１内に保持された製品２１２の配列２１４は、マイクロ溝付き裏当て板２４１に対して配置され、ハウジング２１６が組み立てられたとき、裏当て板２４１の溝付き構造体は、個々のガムスラブ２１２に対し保持力又は圧力を加える。かかる保持力は、裏当て板２４１の波状構造体によって提供される。図８の図面から理解し得るように、個々のガムスラブ１１２は、配列から除去することができる。除去されたとき、波状裏当て板２４１により加えられた圧力は、残りのガムスラブ２１２をパッケージハウジング２１６内にて直立に且つ保持された位置に維持する傾向となる。これは、マイクロ溝付き波状裏当て板２４１と組み立てたパッケージハウジング２１６の前壁２１８との間の摩擦によるものである。このようにして、隣接するガムスラブがその前に除去された場合でさえ、ガムスラブは、パッケージ体２１６内の所要位置に止まる。
【００３０】
次に、図９ないし図１０を参照すると、本発明の更なる実施の形態が示されている。当該実施の形態に関して、当該実施の形態を表示するため、図１及び図２の参照番号に３００を加えた同様の参照番号は同様の要素を表示する。
【００３１】
図９には、その予め組み立てた状態にてパッケージハウジング３１６内にあるパッケージ組立体３１０が示されている。該パッケージハウジング３１６は、ダイカットした板紙形態から形成されており、該板紙形態は、図９に示したその平坦な形態から図１及び図２に示した形態に折り畳むことができる。パッケージハウジングは、後壁３２０と、折畳み可能な前壁３１８と、折畳み可能な側壁３２４、３２６と、折畳み可能なカバー３３０とを有している。パッケージハウジング３１６は、ガムスラブ３１４の配列３１２を後壁３２０の内面に対して支持する。当該実施の形態において、ガムスラブ３１４は、非包装状態のガムスラブである。しかし、本発明において、包装したガムスラブを採用することもできる。
【００３２】
ガムスラブ３１４は、図１０にて更に詳細に示したクリップ３３１を使用することにより配列内に維持することができる。クリップ３３１は、ＰＶＣのような弾性的なプラスチック材料を含む多岐に亙る材料にて形成することのできる細長い全体としてＵ字形の部材である。クリップ３３１は、平坦な底部壁３３３と、底部壁３３３から上方に伸びてＵ字形の形態を提供する１対の対向した側壁３３５、３３７とを有している。側壁３３５、３３７の上方伸長部３３５ａ、３３５ｂは、外方に拡がっている。この外方への拡がりは、導入部を提供し、このため、ガムスラブ３１４の下端をその導入部内に挿入することができる。クリップ３３１の側壁３３５、３３７は、また、内方に偏向してガムスラブ３１２と係合しガムスラブ３１２をクリップ内に固定するのを助けることのできるダイカットした要素３３９も有している。
【００３３】
クリップは、弾性復元力を有し、側壁がその内部に挿入されたガムスラブに対して弾性的な保持力を与え得るように形成される。更に、クリップ３３１は、パッケージハウジングが前壁３１８を上方に折り畳むことにより組み立てられたとき、壁３３５、３３７は、外方に拡がった外方伸長部３３５ａ、３３７ｂの結果として内方に更に押されるような態様にてパッケージハウジング３１６内に支持される。このことは、ガムスラブを所要位置にて更に保持状態に維持することになる。このように、ガムスラブ３１４の１つを配列３１２から除去しても、残るガムスラブは、クリップ内にて保持状態に支持され、これによりパッケージハウジング３１６内に支持される。
【００３４】
クリップ３３１は、適宜な接着剤によりパッケージハウジング３１６内に接着剤にて固定することができると更に考えられる。
次に、図１１ないし図１３を参照すると、本発明の更に別の実施の形態が示されている。当該実施の形態に関して、当該実施の形態を表示するため、図１及び図２の参照番号に４００を加えた同様の参照番号は同様の要素を表示する。
【００３５】
図１１には、その予め組み立てた状態のパッケージハウジング４１６と共にパッケージ組立体４１０が示されている。該パッケージハウジング４１６は、ダイカットした板紙形態から形成されており、該板紙形態は、図１１に示したその平坦な形態から図１及び図２に示した形態に折り畳むことができる。パッケージハウジングは、後壁４２０と、折畳み可能な前壁４１８と、折畳み可能な側壁４２４、４２６と、折畳み可能なカバー４３０とを有している。パッケージハウジング４１６は、ガムスラブ４１４の配列４１２を後壁４２０の内側後面に対して支持する。当該実施の形態において、非包装状態のガムスラブが示してある。しかし、本発明は、包装したガムスラブを使用することも考える。ガムスラブ４１４の下端は、図１２及び図１３に示すように支持部材４４１内にて支持することができる。
【００３６】
支持部材４４１は、Ｕ字形クリップの形態をしている。支持部材４４１は、板紙又は同様の材料にて形成することができる。部材４４１は、底部壁４４３と、底部壁４４３から上方に伸びる対向した側壁４４５、４４７とを有している。部材４４１は、側壁４４５、４４７からそれぞれ伸びる１対の内方に向けた側壁フラップ４４５ａ、４４７ａを有している。図１２に特に図示するように、側壁フラップ４４５ａ、４４７ａは、ガムスラブ４１４に対して圧接しガムスラブを支持部材４４１内にて保持状態に維持する。これらのフラップは、ガムスラブに対してばね力を作用させ、このばね力はガムスラブを除去可能に保持することを可能にする。更に、前壁４１８が上方に折り畳まれた状態でパッケージ組立体４１６が組み立てられたとき、折り畳んだパッケージ体は側壁４４５、４４７を垂直な状態に維持し、これにより側壁フラップ４４５ａ、４４７ａがガムスラブ４１４に対してばね偏倚係合状態に維持する。このように、残りのガムスラブが所要位置に止まる状態にて、１つ又はより多くのガムスラブをパッケージハウジング４１６から除去することが
できる。
【００３７】
Ｕ字形部材４４１は、パッケージハウジング４１６内で接着剤にて固定することができると更に考えられる。
次に、図１４ないし図１６を参照すると、本発明の別の実施の形態が示されている。当該実施の形態に関して、当該実施の形態を表示するため、図１及び図２の参照番号に５００を加えた同様の参照番号は同様の要素を表示する。
【００３８】
図１４には、その予め組み立てた状態のパッケージハウジング５１６と共にあるパッケージ組立体５１０が示されている。該パッケージハウジング５１６は、ダイカットした板紙形態から形成されており、該板紙形態は、図１４に示したその平坦な形態から図１及び図２に示した形態に折り畳むことができる。パッケージハウジングは、後壁５２０と、折畳み可能な前壁５１８と、折畳み可能な側壁５２４、５２６と、折畳み可能なカバー５３０とを有している。パッケージハウジング５１６は、ガムスラブ５１４の配列５１２を後壁５２０の内面に対して支持する。当該一例としての実施の形態において、非包装状態のガムスラブ５１４が示してある。しかし、本発明は、包装したガムスラブを使用することも考える。
【００３９】
ガムスラブ５１４は、図１５及び図１６にてより詳細に示した支持部材５５１内に更に収容することができる。支持部材５５１は、図１５に示すように、Ｕ字形の部材とし、又は、図１６に示すように、２つの隔てた平面状部材にて形成することができる。支持部材５５１は、その各々がマイクロ溝付きの波形面を画成する内方に面する側壁５５３、５５５を有している。ガムスラブ５１４は、図１５及び図１６に示すように、波形面５５３、５５５の間に支持されている。波形面は、ガムスラブをその間にて摩擦力にて保持する作用を果たす。波形面のマイクロ溝付きの形態は、特に、面が組み立てたパッケージハウジング５１６内にて支持されるとき、ガムスラブに圧力を加える。波形面５５３、５５５により提供される保持摩擦係合は、ガムスラブを除去可能に保持状態に支持し、このため１つ又はより多くのガムスラブが配列から除去されたときでも、残りのガムスラブは、波形面により所要位置にて直立に保持されよう。
【００４０】
支持部材５５１は、組み立てたとき、パッケージ体５１６内にて接着剤により固定することが更に考えられる。
次に、図１７を参照すると、本発明の更なる実施の形態が示されている。当該実施の形態に関して、当該実施の形態を表示するため、図１及び図２の参照番号に６００を加えた同様の参照番号は同様の要素を表示する。
【００４１】
図１７には、パッケージハウジング６１６がその予め組み立てた状態にあるパッケージ組立体６１０が示されている。該パッケージハウジング６１６は、ダイカットした板紙形態から形成されており、該板紙形態は、図１７に示したその平坦な形態から図１及び図２に示した形態に折り畳むことができる。パッケージハウジングは、後壁６２０と、折畳み可能な前壁６１８と、折畳み可能な側壁６２４、６２６と、折畳み可能なカバー６３０とを有している。パッケージハウジング６１６は、ガムスラブ６１４の配列６１２をその内部に支持する。明確化の目的のため、配列６１２の２つのスラブ６１４のみが図１７に示してある。当該一例としての実施の形態において、ガムスラブ６１４は、非包装状態のガムスラブである。しかし、本発明は、包装したガムスラブを使用することも考える。
【００４２】
図１７に示すように、パッケージ組立体６１０は、ダイカットしたルーバ付き支持部材６６０を更に有する。ルーバ付き支持部材６６０は、板紙にて形成されており、また、該ルーバ付き支持部材は、複数の隔てた矩形のダイカットした開口部６６２が貫通するように形成された平面状要素６６１である。ダイカットした開口部６６２は、３つの側部にて
カットされ、このため、残りの長手方向伸長部はダイカットした部分６６３を平面状部材６６１から外方に折り畳むのを許容する。ダイカットした部分６６３は、ルーバ付きばね要素を形成し、該ルーバ付きばね要素は、折り畳まれたとき、ガムスラブ６１４を個別に支持する。これらのカットした部分６６３は、２列にて配置し、１つの列のカット部分の各々が他方の列のカットした部分から偏位するようにすることができる。ガムスラブ６１４は、２つの列の長手方向に隣接する２つのカット部材の間に支持することができる。
【００４３】
カットした部分６６３は、ガムスラブを所要位置に保持するばね部材として作用する。このため、ガムスラブの各々は、ルーバ付き支持部材６６０による残りのガムスラブの保持に影響を与えずに、個々に除去することができる。このように、前壁６１８が折り畳まれてパッケージハウジング６１６を形成するとき、ルーバ付き支持部材は、ガムスラブ６１４の配列６１２をパッケージ体６６０内に保持状態に支持する。ガムスラブ６１４の配列６１２を含むルーバ付き支持部材６６０は、端部材６７０によりその一端にて支持することができる。
【００４４】
支持部材６６０は、パッケージハウジング６１６の後壁６２０に接着剤にて固定することが可能であると更に考えられる。
次に、図１８ないし図２０を参照すると、本発明の更なる実施の形態が示されている。当該実施の形態に関して、当該実施の形態を表示するため、図１及び図２の参照番号に７００を加えた同様の参照番号は同様の要素を表示する。
【００４５】
図１８には、パッケージハウジング７１６がその予め組み立てた状態にあるパッケージ組立体７１０が示されている。パッケージハウジング７１６は、ダイカットした板紙形態から形成されており、該板紙形態は、図１８に示したその平坦な形態から図１及び図２に示した形態に折り畳むことができる。パッケージハウジング７１６は、ガムスラブ７１４の配列７１２を後壁７２０の内面に対して支持する。パッケージハウジングは、後壁７２０と、折畳み可能な前壁７１８と、折畳み可能な側壁７２４、７２６と、折畳み可能なカバー７３０とを有している。当該一例としての実施の形態において、ガムスラブ７１４は、非包装状態のガムスラブとすることができる。しかし、本発明は、包装したガムスラブを使用することを考える。
【００４６】
ガムスラブ７１４は、ダイカットした板紙キャリア７７０内に更に収容される。図１９にてその平坦な形態に示した板紙キャリア７７０は、折畳み線７７２に沿って折り畳まれる折畳み可能な底部フラップ７７１を有する。キャリア７７０は、後壁７７３を有し、該後壁に対してガムスラブが配置される。ダイカットした部材７７０の後壁７７３は、該後壁に沿って複数のスロット７７９も有している。
【００４７】
キャリアは、折畳み線７７５に沿って折り畳まれる折畳み可能な頂部フラップ７７４を更に有する。折畳み可能な頂部フラップ７７４は、丸味を付けた端部７７７を有する複数の個別のタブ７７６に分割される。個別のタブ７７６は、その間にて孔部７７８により分離されている。
【００４８】
図２０には、ガムスラブ７１４の配列７１２を支持するキャリア７７０が示されている。前側フラップ７７１は、配列の１つの面と係合する一方、後壁７７３は反対面と係合する。頂部フラップ７７４は、ガムスラブ７１４の頂部の回りにて折り畳まれ、タブ７７６の丸味を付けた端部７７７はガムスラブ７１４の前側の上方に位置する。
【００４９】
図１８及び図１９に示すように、キャリア７７０内に収容されたガムスラブ７１４はパッケージハウジング７１６内に配置されている。キャリアは、パッケージハウジング７１６の後壁７２０に接着剤にて支持することが可能であると考えられる。パッケージハウジ
ング７１６内のダイカットしたキャリア７７０の配置は、その内部に個別のガムスラブ７１４を保持状態に支持する。１つのガムスラブ７１４を除去するため、関係したタブ７７６を持ち上げ、該タブがその間の孔部７７８により隣接するタブから分離するようにする。タブ７７６が持ち上げられたとき、個別のガムスラブ７１４を除去することができる。その後、タブ７７６を折り畳み、関係したガムスラブを除去した後、タブをスロット内に配置することにより、丸味を付けた末端７７７を関係したスロット７７９内に挿入することができる。タブ７７６をスロット７７９内に配置する結果、隣接するガムスラブは所要位置に保持されてその傾くのが防止される。
【００５０】
好ましい実施の形態について説明したが、本発明の考えられる範囲から逸脱せずに、変更例が具体化可能であることを理解すべきである。従って、本明細書に記載した好ましい実施の形態は、制限的ではなく、一例と見なすべきであり、本発明の真の範囲は特許請求の範囲に記載されている。
【図１】
2010076841.tif 000003
【図２】
2010076841.tif 000004
【図３】
2010076841.tif 000005
【図４】
2010076841.tif 000006
【図５】
2010076841.tif 000007
【図６】
2010076841.tif 000008
【図７】
2010076841.tif 000009
【図８】
2010076841.tif 000010
【図９】
2010076841.tif 000011
【図１０】
2010076841.tif 000012
【図１１】
2010076841.tif 000013
【図１２】
2010076841.tif 000014
【図１３】
2010076841.tif 000015
【図１４】
2010076841.tif 000016
【図１５】
2010076841.tif 000017
【図１６】
2010076841.tif 000018
【図１７】
2010076841.tif 000019
【図１８】
2010076841.tif 000020
【図１９】
2010076841.tif 000021
【図２０】
2010076841.tif 000022